(57)【要約】      （修正有）【課題】所望の分電盤の型番や、拡張機能を付与されたブレーカの組み合わせに関する規制や制限等の情報を把握していないユーザであっても、容易に、最適な分電盤の選定を行うことができる技術を提供する。【解決手段】希望仕様データの入力後、拡張機能仕様データと合致する機能群を選択する機能群選択手段（ＳＴ３）と、選択された機能群の内部機器レイアウトデータと基本機能仕様データを比較して、希望仕様データに合致もしくは近似する型番を選択する型番選択手段（ＳＴ４）と、前記型番データから、該型番選択手段で選択された型番を取得後、その型番の分電盤を構成する内部機器データを、入力された基本機能仕様データに適応させて表示手段に展開して表示する内部機器展開表示手段（ＳＴ６）と、表示手段に展開して表示した分電盤を構成する内部機器データの変更を行う内部機器変更手段（ＳＴ７）を有する。【選択図】図９
2015202013.tif 000002
【特許請求の範囲】
【請求項１】
ユ−ザが、分電盤の希望仕様データの入力を行う入力手段と
分電盤の型番ごとに、各筐体内に配置される内部機器およびその配置に関する情報を、型番データとして収納したデータベースと、
分電盤の選定に伴う演算処理を行う演算部と、
演算部における演算処理結果を記憶する記憶手段と、
演算処理結果を表示する表示手段を有する
分電盤の選定システムであって、
前記希望仕様データは、
分電盤の基本仕様に、少なくとも、主幹ブレーカの容量や種類、分岐ブレーカの総数の基本機能を規定する基本機能仕様データと、
分電盤の基本仕様に、拡張機能を付加することを規定する拡張機能仕様データとからなり、
前記データベースは、前記型番データのうち、拡張機能を有する分電盤の型番データを、一つの拡張機能もしくは組み合わせ可能な複数の拡張機能ごとに分類された機能群の何れかに区分して記憶するとともに、機能群ごとに許容される内部機器レイアウトデータを記憶し、
前記演算部に格納される演算処理手段として、
前記希望仕様データの入力後、拡張機能仕様データと合致する機能群を前記機能群から選択する機能群選択手段と、
選択された機能群の内部機器レイアウトデータと基本機能仕様データを比較して、希望仕様データに合致もしくは近似する型番を選択する型番選択手段と、
前記型番データから、該型番選択手段で選択された型番を取得後、その型番の分電盤を構成する内部機器データを、入力された基本機能仕様データに適応させて表示手段に展開して表示する内部機器展開表示手段と、
前記入力手段を通じて内部機器データの変更情報が入力されたとき、表示手段に展開して表示した分電盤を構成する内部機器データの変更を行う内部機器変更手段
の各演算処理手段を含むことを特徴とする分電盤の選定システム。
【請求項２】
前記演算部に格納される演算処理手段として、
前記型番データから、該型番選択手段で選択された型番を取得後、
入力された基本機能仕様データに適応させた分電盤を構成する内部機器データを展開して表示手段に表示する際、
内部機器が分電盤に拡張機能を付与するものである場合、その拡張機能を表示手段に表示する拡張機能表示手段を含む
ことを特徴とする請求項１記載の分電盤の選定システム。
【請求項３】
前記型番データは、その型番の分電盤を構成する内部機器ごとに変更可能機器を規定し、
前記内部機器変更手段により、内部機器データの変更を行う際に、変更可能機器から選択可能とする
ことを特徴とする請求項１または請求項２記載の分電盤の選定システム。
【請求項４】
前記演算部に格納される演算処理手段として、
前記型番データを標準品として規定し、
前記内部機器変更手段により、内部機器データの変更後、その変更が、標準品での対応が可能か否かを判定する標準判定手段
を含むことを特徴とする請求項１または２記載の分電盤の選定システム。
【請求項５】
前記内部機器展開表示手段は、内部機器のうち分岐ブレーカを個別に展開して表示手段に表示し、
前記内部機器変更手段は、各分岐ブレーカの変更も可能とし、
前記内部機器展開表示手段は、該変更後の内部機器データを表示することを特徴とする請求項３または請求項４記載の分電盤の選定システム。
【発明の詳細な説明】
【技術分野】
【０００１】
本発明は、分電盤の選定システムに関するものである。
【背景技術】
【０００２】
分電盤の製造メーカは、一般に、キャビネットの材質やデザイン、主幹ブレーカの種類、主幹ブレーカの定格電流、分岐回路数、リミッタスペースの有無、などで分電盤を区別して型番を付して製品管理を行っており、ユーザは、これらの型番のなかから、所望の分電盤を選択して発注を行う。
【０００３】
また、ユーザの希望する仕様が、型番が付された標準仕様と異なる場合には、ユーザの希望する仕様に近い型番を指定後、組み換え設計を行う技術も開示されている（特許文献１）。
【０００４】
上記の従来技術は、何れも、所望の分電盤（もしくは、組み換えの基礎とする分電盤）の型番を、ユーザが、予め、カタログ等で把握していることを前提としたものであるが、近年、太陽光用、ＩＨ用、自然冷媒ヒートポンプ給湯機用、ガス発電用、燃料電池用、ＥＶ用、蓄熱回路用など各種の拡張機能を付与されたブレーカ（一般に使用されるブレーカと、容量や極数が異なるブレーカ）を組み込んだ分電盤が増加し、これに伴い、型番の数も膨大なものとなっているため、カタログ等で所望の型番を調べる作業に手間がかかる問題があった。
【０００５】
また、型番指定後の組み換え設計に際しても、前記各種機能用のブレーカうち、例えば、太陽光用ブレーカとガス発電用ブレーカは、同じ分岐列に組み込むことはできない等の制限があり、これらの規制や制限を正確に把握することは、ユーザにとって困難であり、分電盤の発注作業に手間がかかる問題があった。
【先行技術文献】
【特許文献】
【０００６】
【特許文献１】特許第４８７８３５０号公報
【発明の概要】
【発明が解決しようとする課題】
【０００７】
本発明の目的は前記の問題を解決し、所望の分電盤の型番や、各種機能用のブレーカの組み合わせに関する規制や制限等の情報を把握していないユーザであっても、容易に、最適な分電盤の選定を行うことができる技術を提供することである。
【課題を解決するための手段】
【０００８】
上記課題を解決するためになされた請求項１記載の分電盤の選定システムは、ユーザが、分電盤の希望仕様データの入力および分電盤の選定作業を行う入力手段と、分電盤の型番ごとに、各筐体内に配置される内部機器およびその配置に関する情報を、型番データとして収納したデータベースと、分電盤選定に伴う演算処理を行う演算部と、該演算部における演算処理結果を記憶する記憶手段と、該演算処理結果をユーザに表示する表示手段を有する分電盤の選定システムであって、前記希望仕様データは、分電盤の基本仕様に、少なくとも、主幹ブレーカの容量や種類、分岐ブレーカの総数の基本機能を規定する基本機能仕様データと、分電盤の基本仕様に、拡張機能を付加することを規定する拡張機能仕様データとからなり、前記データベースは、前記型番データのうち、拡張機能を有する分電盤の型番データを、一つの拡張機能もしくは組み合わせ可能な複数の拡張機能ごとに分類された機能群の何れかに区分して記憶するとともに、機能群ごとに許容される内部機器レイアウトデータを記憶し、前記演算部に格納される演算処理手段として、前記入力手段を通じて、分電盤の希望仕様データが入力されたとき、前記データベースに記憶された型番データから、最適な型番を自動に選択する型番選択手段と、前記希望仕様データの入力後、拡張機能仕様データと合致する機能群を前記機能群から選択する機能群選択手段と、選択された機能群の内部機器レイアウトデータと基本機能仕様データを比較して、希望仕様データに合致もしくは近似する型番を選択する型番選択手段と、前記型番データから、該型番選択手段で選択された型番を取得後、その型番の分電盤を構成する内部機器データを、入力された基本機能仕様データに適応させて表示手段に展開して表示する内部機器展開表示手段と、表示手段に展開して表示した分電盤を構成する内部機器データの変更を行う内部機器変更手段の各演算処理手段を含むことを特徴とするものである。
【０００９】
請求項２記載の発明は、請求項１記載の分電盤の選定システムにおいて、前記演算部に格納される演算処理手段として、前記型番データから、該型番選択手段で選択された型番を取得後、入力された基本機能仕様データに適応させた分電盤を構成する内部機器データを展開して表示手段に表示する際、内部機器が分電盤に拡張機能を付与するものである場合、その拡張機能を表示手段に表示する拡張機能表示手段を含むことを特徴とするものである。
【００１０】
請求項３記載の発明は、請求項１または２記載の分電盤の選定システムにおいて、前前記型番データは、その型番の分電盤を構成する内部機器ごとに変更可能機器を規定し、前記内部機器変更手段により、内部機器データの変更を行う際に、変更可能機器から選択可能とすることを特徴とするものである。
【００１１】
請求項４記載の発明は、前記型番データを標準品として規定し、前記内部機器変更手段により、内部機器データの変更後、その変更が、標準品での対応が可能か否かを判定する標準判定手段を有することを特徴とするものである。
【００１２】
請求項５記載の発明は、請求項３または４記載の分電盤の選定システムにおいて、前記内部機器展開表示手段は、内部機器のうち分岐ブレーカを個別に展開して表示手段に表示し、前記内部機器変更手段は、各分岐ブレーカの変更も可能とし、前記内部機器展開表示手段は、該変更後の内部機器データを表示することを特徴とするものである。
【発明の効果】
【００１３】
本発明に係る分電盤の選定システムでは、入力手段を通じて、分電盤の希望仕様データが入力されたとき、データベースに記憶された型番データから、最適な型番を自動に選択して、表示手段に表示するため、所望の分電盤の型番や、各種機能用のブレーカの組み合わせに関する規制や制限等の情報を把握していないユーザであっても、容易に、最適な分電盤の選定を行うことができる。
【００１４】
また、本発明では、拡張機能を有する分電盤の型番データを、一つの拡張機能もしくは組み合わせ可能な複数の拡張機能ごとに分類された機能群の何れかに区分して記憶するとともに、機能群ごとに許容される内部機器レイアウトデータを記憶し、前記希望仕様データの入力後、拡張機能仕様データと合致する機能群を前記機能群から選択する機能群選択手段と、選択された機能群の内部機器レイアウトデータと基本機能仕様データを比較して、希望仕様データに合致もしくは近似する型番を選択する型番選択手段を有する構成を採用しているため、希望仕様データの入力を受けて、最適な型番を自動に選択する際のデータ処理負荷を、全ての希望仕様データを同時に処理するケースに比べて、格段に低減することができる。
【００１５】
更に、本発明では、型番データから、該型番選択手段で選択された型番を取得後、その型番の分電盤を構成する内部機器データを、基本機能仕様データに適応させて表示手段に展開して表示する内部機器展開表示手段と、基本機能仕様データに適応させて表示した分電盤を構成する内部機器データの変更を行う内部機器変更手段を有する構成を採用しているため、希望仕様データの入力後、自動に選択された最適な型番の分電盤の内部機器構成を、ユーザが簡単に把握することができ、かつ、その内部機器を変更して所望の分電盤を実現することができる。
【００１６】
請求項２記載の発明のように、型番データから、該型番選択手段で選択された型番を取得後、基本機能仕様データに適応させた分電盤を構成する内部機器データを展開して表示手段に表示する際、内部機器が分電盤に拡張機能を付与するものである場合、その拡張機能を表示手段に表示する拡張機能表示手段を有する構成とすることにより、拡張機能の有無や、その種類を一目で把握可能とすることができる。
【００１７】
請求項３記載の発明のように、前記データベースに記憶されている前記型番データは、その型番の分電盤を構成する内部機器ごとに変更可能機器を規定し、前記内部機器変更手段により、内部機器データの変更を行う際に変更可能機器から選択可能とすることにより、ユーザは型番データの範囲内より内部機器を選択することを可能とすることができる。
【００１８】
請求項４記載の発明のように、前記データベースに記憶されている前記型番データの一部を標準品として規定し、内部機器変更手段により、基本機能仕様データに適応させた分電盤を構成する内部機器データの変更後、その変更が、予め規定された標準規格内の変更であって、分電盤の内部機器として在庫されている標準品での対応が可能か否かを判定する標準判定手段を有する構成とすることにより、所望の分電盤が、標準品で対応可能か、あるいは、特注対応が必要かを、一目で把握可能とすることができる。
【００１９】
請求項５記載の発明のように、内部機器展開表示手段は、内部機器のうち分岐ブレーカを個別に展開して表示手段に表示し、前記内部機器変更手段は、各分岐ブレーカの変更も可能とし、前記内部機器展開表示手段は、該変更後の内部機器データを表示する構成とすることにより、大まかな内部機器構成に留まらず、分岐ブレーカのレベルまで、ユーザの個別具体的な要望に対応させることができる。
【図面の簡単な説明】
【００２０】
【図１】実施形態の分電盤の選定システムを説明するブロック図である。
【図２】希望仕様データが入力された状態の表示画面である。
【図３】データベースに記憶された型番データの説明図である。
【図４】データベースに記憶された機能群の説明図である。
【図５】エラー表示状態の表示画面である。
【図６】型番が決定された後の初期表示画面である。
【図７】内部機器が変更された後の表示画面である。
【図８】内部機器変更手段を示す表示画面である。
【図９】本発明を説明するフロー図である。
【図１０】本発明を説明するフロー図である。
【図１１】本発明を説明するフロー図である。
【発明を実施するための形態】
【００２１】
以下に本発明の好ましい実施形態を示す。
【００２２】
本実施形態の分電盤の選定システムは、図１に示すように、ユーザ側端末１と、サーバ２から構成され、ユーザ側端末１とサーバ２は、直接または通信回線を介して接続されている。ユーザ側端末１は、複数設けることもできる。
【００２３】
ユーザ側端末１には、分電盤の希望仕様データの入力を行う入力手段３や、後述する演算部により処理された演算処理結果を出力、または、サーバ２から送信された情報が出力される表示手段４を備えている。本発明における「希望仕様データ」とは、分電盤の基本仕様に、少なくとも、主幹ブレーカの容量や種類、分岐ブレーカの総数の基本機能を規定する基本機能仕様データと、分電盤の基本仕様に、太陽光用、ＩＨ用、自然冷媒ヒートポンプ給湯機用、ガス発電用、燃料電池用等を含む拡張機能を付加することを規定する拡張機能仕様データとに区分される。
【００２４】
具体的には、図２に示す画面がユーザ側端末１の表示手段４に表示され、この画面を通じて、主幹ブレーカの容量や種類(漏電、サーキットブレーカ等を選択)、分岐ブレーカの総数(実装数と予備スペース)、その他、分岐ブレーカの容量や種類・オプション（リミッタスペース、付属機器取付・取付スペース）等の基本機能を「基本機能仕様データ」として入力するとともに、例えば、太陽光用の開閉器（連系用の開閉器）の数や配置場所の指定、ガス・燃料電池発電用の開閉器の選択、ＩＨ用の回路数の指定等を、「拡張機能仕様データ」として入力する。
【００２５】
サーバ２には、分電盤の型番ごとに、各筐体内に配置される内部機器およびその配置に関する情報を、型番データとして収納したデータベース１２が格納されている。型番データは、図３に示すように、型番を、分電盤内に配置される内部機器（主幹ブレーカ、一次送りブレーカ、分岐ブレーカ、拡張機能を付与されたブレーカ等）データと結び付けたものである。本発明における「拡張機能用ブレーカ」とは、分岐ブレーカと容量や極数が異なり、太陽光用、ＩＨ用、自然冷媒ヒートポンプ給湯機用、ガス発電用、燃料電池用に使用されるものである。なお、「基本機能仕様データ」は、分電盤として必須の構造であるため、「拡張機能仕様データ」のみが入力された場合には、本発明の選定システムでは、分電盤の選定処理を行うことができない。また、「拡張機能仕様データ」の入力を行わず、「基本機能仕様データ」のみの入力を行うことは可能であるが、この場合、後述する機能群選択手段６や、型番選択手段７によるデータ処理を経ることなく、型番データから、直接、最適なものが選択され、ユーザ側端末１の表示手段４に表示される。
【００２６】
型番データのうち、拡張機能を有する分電盤の型番データは、図４に示すように、一つの拡張機能もしくは組み合わせ可能な複数の拡張機能ごとに分類された機能群（例えば、「太陽群」「ＩＨ群」「ガス発電群」「太陽光×ＩＨ群」・・・・等）に区分して、機能群ごとに許容される内部機器レイアウトデータが記憶されている。
【００２７】
本実施形態では、分電盤の希望仕様データが入力されたとき、図１に示すように、データベース１２に記憶された型番データから、最適な型番を自動に選択する分電盤の選定に伴う演算処理を行う演算部として型番データ自動選択処理手段５を、サーバ２内に備えているが、型番データ自動選択処理手段５をユーザ側端末１にダウンロード可能なプログラムとし、データベース１２にアクセスするときのみサーバにアクセスするようなシステムとすることもできる。
【００２８】
演算部となる型番データ自動選択処理手段５に格納される演算処理手段として、希望仕様データの入力後、拡張機能仕様データと合致する機能群を前記機能群から選択する機能群選択手段６と、選択された機能群の内部機器レイアウトデータと基本機能仕様データを比較して、希望仕様データに合致もしくは近似する型番を選択する型番選択手段７と、型番のデータを取得後、その型番の分電盤を構成する内部機器データを、入力された基本機能仕様データに適応させて表示手段４に展開して表示する内部機器展開表示手段８と、入力手段３を通じて内部機器データの変更情報が入力されたとき、表示手段に展開して表示した分電盤を構成する内部機器データの変更を行う内部機器変更手段９と、型番選択手段７で選択された型番を取得後、入力された基本機能仕様データに適応させた分電盤を構成する内部機器データを展開して表示手段４に表示する際、内部機器が分電盤に拡張機能を付与するものである場合、その拡張機能を表示手段４に表示する拡張機能表示手段１０と、データベース１２に記憶されている前記型番データの一部を後述する標準品として規定し、内部機器変更手段９により、基本機能仕様データに適応させた分電盤を構成する内部機器データの変更後、その変更が、標準品での対応が可能か否かを判定する標準判定手段１１を含むものである。
【００２９】
また、各々の演算処理結果を記憶する記憶手段１３を備えており、具体的には、機能群選択手段６により選択された機能群を記憶手段１３に記憶し、型番選択手段７より記憶された機能群の内部機器レイアウトデータと基本機能仕様データとを比較して選択された型番を記憶手段１３に記憶し、内部機器展開表示手段８により、記憶された型番から内部機器データ表示手段に展開して表示させる処理を行わせる。なお、記憶手段１３については、本実施形態においてはサーバ２に形成しているものであるが、ユーザ側端末１に形成するものであっても良いものである。
【００３０】
ここで、機能群選択手段６は、拡張機能仕様データとして、複数の拡張機能が入力され、その組み合わせが、機能群としてデータベース１２に記憶されているか判定する。機能群としてデータベース１２に記憶されていない場合には、図５に示すように、選択した複数の拡張機能が、同一の分電盤内に搭載できない旨のエラー表示を、ユーザ側端末１の表示手段４に表示させる。この場合、図４に示すように「自然冷媒ヒートポンプ給油機用とガス発電用など、その電力の取り扱いが、ガス会社と電力会社などに分かれており、組み合わせでの利用可能性が想定されない」「逆潮流可能なもの（例えば、太陽光用）と逆潮流不可のもの（例えば、ガス発電用）の組み合わせの場合、双方を同一分岐列に組込むことはできない」等の規則により、機能群として記憶されていない。また、機能群の組合せのほか、図４に示すように、更に、対応する拡張機能用ブレーカの一次送り，２次送り、分岐列組込などの配置位置に応じても内部機器レイアウトデータが細分化されているものである。このような型番の絞込みにより希望仕様データの入力を受けて最適な型番を自動に選択する際のデータ処理負荷を低減することができる。
【００３１】
また、型番選択手段７は、機能群として登録されている組み合わせであっても、基本機能仕様データの内容が、機能群ごとに許容される内部機器レイアウトデータとして記憶されているものと合致するか判定する。合致しない場合には、分電盤の型番を選定することはできない旨のエラー表示をユーザ側端末１の表示手段４に表示させる。この場合、例えば、「太陽光を選択している場合には、主幹ブレーカにサーキットブレーカが選択できない」「複数の拡張機能を組み合わせた機能群に許容される内部機器レイアウトデータで、既に占有されているスペースに、更に、内部機器の取り付けを指定することはできない」等の規則に照らして、判断されている。
【００３２】
このように、「希望仕様データ」を拡張機能仕様データと基本機能仕様データに区分し、まず、機能群選択手段６により拡張機能仕様データと合致する機能群を図４のようにレイアウトごとに区分けされた前記機能群から選択後、型番選択手段７において基本機能仕様データの内容を、機能群ごとに許容される内部機器レイアウトデータとして記憶されているものと照らし合わせて、分電盤の型番選定を行うため、希望仕様データの入力を受けて、最適な型番を自動に選択する際のデータ処理負荷を、全ての希望仕様データを同時に処理するケースに比べて、格段に低減することができる。
【００３３】
また、型番選択手段７は、選択された機能群の内部機器レイアウトデータと基本機能仕様データを比較して、希望仕様データに合致もしくは近似する型番を選択するものであっても良い。その場合、近似する型番を選択する場合のルール（例えば、最も低コストなものを選択する等）を事前に設定する。合致もしくは近似する型番がない場合は、その旨が、図５に示すように、ユーザ側端末１の表示手段４にエラー表示させる。
【００３４】
内部機器展開表示手段８は、図６に示すように、型番選択手段７が選択した型番の分電盤を構成する内部機器データを入力された基本機能仕様データに適応させて展開してユーザ側端末１の表示手段４に表示させる。この場合、内部機器展開手段８は、選択した型番の内部機器データと、ユーザが入力した基本機能仕様データが異なるときにおいて、基本機能仕様データに適応させて表示させる判断がされている。また、内部機器が分電盤に拡張機能を付与するものである場合、拡張機能表示手段１０が、その拡張機能（例えば、太陽光用⇒Ｓ、ＩＨ用⇒Ｉ  等・・・）を表示手段に表示させる。このため、ユーザは、拡張機能の有無や、その種類を一目で把握可能とすることができる。ここで、内部機器データの機器詳細のうち分岐ブレーカを更に個別に展開した分岐詳細を表示手段４に表示させ、分岐ブレーカごとに機種・容量等を変更可能にしている。
【００３５】
この内部機器展開表示手段８により表示された画面を確認後、図７に示すように、ユーザは、入力手段３を通じて内部機器データの変更情報を入力し、それに伴い、表示手段４に展開して表示した内部機器データの変更（具体的には、各機器の種類及び容量の変更、分岐ブレーカの機器の変更や負荷名称の変更等）を行うことができる。内部機器展開表示手段８は、分岐詳細の分岐ブレーカの機器の種類を変更させたとき、図７に示すように機器詳細に反映して表示させるものである。
【００３６】
標準判定手段１１は、内部機器変更手段９により、内部機器データの変更後、その変更が、標準品での対応が可能か否かを判定し、ユーザ側端末１の表示手段４に表示させる。このため、ユーザは、所望の分電盤が、標準品で対応可能か、あるいは、特注対応が必要かを、一目で把握可能とすることができる。ここで、データベース１２内に記憶されている型番を標準品として規定している。ただし、その型番のうち、例えば、構成機器の接続する銅バーや構成機器を搭載する筐体等をその型番用に変更するなど、特注対応が必要な変更を行う場合は標準品として規定しない。
【００３７】
また、内部機器変更手段９は、データベース１２に記憶された型番データは、その型番の分電盤を構成する内部機器データを有すると共に、内部機器ごとに変更可能機器が規定されている。図８に示すように、内部機器変更手段９により、内部機器を変更しようとすると、内部機器に規定された変更可能機器が表示され、その変更可能機器から選択可能としている。このため、ユーザは型番データの範囲内より選択することを可能とするものである。
【００３８】
以下、本発明の分電盤の選定システムを、図９〜１１のフローに従って説明する。
【００３９】
（ＳＴ１）ユーザが、ユーザ側端末１から、希望仕様データを入力する。（入力手段３）
（ＳＴ２）希望仕様データとして、基本機能仕様データと拡張機能仕様データの双方が入力された場合には、ＳＴ３の処理に進む。希望仕様データとして、基本機能仕様データのみが入力された場合には、ＳＴ５の処理に進む。
（ＳＴ３）サーバ内で、機能群選択手段６が、拡張機能仕様データと合致する機能群を前記機能群から選択する。（機能群選択手段６）拡張機能仕様データと合致する機能群がない場合は、ユーザ側端末１にエラー表示がなされる（ＳＴ０）。
（ＳＴ４）サーバ内で、型番選択手段７が、選択された機能群の内部機器レイアウトデータと基本機能仕様データを比較して、希望仕様データに合致もしくは近似する型番を選択する。（型番選択手段７）合致もしくは近似する型番がない場合は、ユーザ側端末１にエラー表示がなされる（ＳＴ０）。
（ＳＴ５）サーバ内で、分電盤の型番を決定する。
（ＳＴ６）その型番の分電盤を構成する内部機器データを、入力された基本機能仕様データに適応させて表示手段に展開して表示する。（内部機器展開表示手段８）
（ＳＴ７）サーバ内で、必要に応じて、型番の分電盤を構成する内部機器データの変更を行う。（内部機器変更手段９）
（ＳＴ８）サーバ内で、分電盤の内部機器として在庫されている標準品での対応が可能か否かを判定する。判定結果は、ユーザ側端末１に表示される。（標準判定手段１１）
（ＳＴ９）分電盤を構成する全ての内部機器の決定後、サーバ内で、設計図面が作成され、ユーザ側端末１に表示される。
【符号の説明】
【００４０】
１  ユーザ側端末
２  サーバ
３  入力手段
４  表示手段
５  型番データ自動選択処理手段
６  機能群選択手段
７  型番選択手段
８  内部機器展開表示手段
９  内部機器変更手段
１０  拡張機能表示手段
１１  標準判定手段
１２  データベース
【図１】
2015202013.tif 000003
【図２】
2015202013.tif 000004
【図３】
2015202013.tif 000005
【図４】
2015202013.tif 000006
【図５】
2015202013.tif 000007
【図６】
2015202013.tif 000008
【図７】
2015202013.tif 000009
【図８】
2015202013.tif 000010
【図９】
2015202013.tif 000011
【図１０】
2015202013.tif 000012
【図１１】
2015202013.tif 000013